(57)【特許請求の範囲】
【請求項１】
給水路より供給される水を加熱する給湯熱交換器と、給水路に設けられ給水温度を検知する水温センサおよび給水流量を検知する水量センサと、出湯路に設けられ温水温度を検知する給湯センサおよび出湯流量を制御する水量制御弁と、戻り通路を経由して循環ポンプにより供給された浴槽水を加熱する風呂熱交換器と、前記風呂熱交換器で加熱された湯水をろ過槽を経由して往き通路より浴槽に供給する上部往き通路と、前記風呂熱交換器で加熱された湯水をろ過槽をバイパスして往き通路より浴槽に供給する下部往き通路と、前記ろ過槽の入口側に配置し上部往き通路または排水口に流路を切り換える排水三方弁と、前記ろ過槽の出口側に配置し下部往き通路または往き通路に流路を切り換える正逆三方弁と、前記風呂熱交換器をバイパスして前記上部往き通路と下部往き通路の分岐点に接続して循環湯水を供給するバイパス通路と、前記戻り通路に配置し前記バイパス通路または風呂熱交換器に流路を切り換えるバイパス三方弁と、前記給湯熱交換器で加熱された湯水を前記戻り通路に供給する湯張り通路に配した給湯電磁弁及び縁切弁と、前記戻り通路に配置し湯張り通路の切り換えを行う切替え三方弁と、前記戻り通路と下部往き通路を連通し前記風呂熱交換器で加熱された湯水を戻り通路を経由して浴槽に供給する二方弁とを備えた風呂給湯器であって、前記循環ポンプの動作により浴槽水を前記戻り通路からバイパス三方弁を介して風呂熱交換器に供給し、上部往き通路より排水三方弁を介してろ過槽を経由させ、正逆三方弁を介して往き通路から浴槽に戻す循環経路を形成し、前記ろ過槽に設けた電極に通電することにより循環水の異物を凝集し、凝集した異物をろ過槽内のろ過材で除去する浄化手段と、前記給湯電磁弁及び縁切弁の動作により前記給湯熱交換器で所定温度に加熱された湯水を前記戻り通路からバイパス三方弁を介して風呂熱交換器に供給し、該風呂熱交換器でさらに加熱して高温水とした後、上部往き通路より排水三方弁を介してろ過槽を経由させ、正逆三方弁を介して往き通路から浴槽に高温水を供給することで、ろ過槽と往き通路の高温殺菌を行う高温殺菌手段と、前記給湯電磁弁及び縁切弁の動作により前記給湯熱交換器で所定温度に加熱された湯水を前記戻り通路からバイパス三方弁を介して風呂熱交換器に供給し、該風呂熱交換器でさらに加熱して高温水とした後、下部往き通路より二方弁を介して戻り通路から浴槽に高温水を供給することで、戻り通路の高温殺菌を行う高温殺菌手段を備え、前記高温殺菌手段によりろ過槽と往き通路または戻り通路の高温殺菌を行うとき、前記給湯熱交換器より供給する温水は、ろ過槽と往き通路または戻り通路を流れる高温水より低く給湯の安全性が確保できる温度とした風呂給湯器。
【請求項２】
請求項１に特定した戻り通路の高温殺菌手段の終了後に、循環ポンプを動作させ、戻り通路の高温水を前記戻り通路から切替え三方弁を介してバイパス三方弁より風呂熱交換器へ供給し、下部往き通路より二方弁を経由して強制循環回路を形成し、機器内部に形成される前記強制循環回路の高温殺菌を行う高温殺菌手段を備えたことを特徴とする請求項１記載の風呂給湯器。
【請求項３】
請求項２記載の機器内部に形成した強制循環回路の高温殺菌手段は、風呂センサにより検出される循環水温度が所定の高温になるまで風呂熱交換器で加熱する高温殺菌手段としたものであることを特徴とする請求項２記載の風呂給湯器。
【発明の詳細な説明】
【０００１】
【発明の属する技術分野】
本発明は、給湯と追焚きのできる風呂給湯器における浴槽水の浄化・殺菌に関するものである。
【０００２】
【従来の技術】
従来の風呂給湯器は図７に示すような構成になっていた。
【０００３】
水は給水口より水量センサ１，水温センサ２を通り、給湯熱交換器３で熱を吸収して、給湯センサ４、給湯水量制御弁５を通り、湯出口より放出される。ガスはガス入口より給湯元電磁弁６，ガスの給湯比例弁７を通り、給湯バーナ８で燃焼される。
【０００４】
浴槽水は循環ポンプ９により、風呂接続アダプタ１０，戻り通路１１，水位センサ１２，切替え三方弁１３，風呂センサ１４，水流スイッチ１５，風呂熱交換器１６，往き通路１７，風呂接続アダプタ１０と循環し、風呂センサ１４で検出する湯温が低下したときには、ガスがガスの風呂元電磁弁１８，風呂比例弁１９を通り、風呂バーナ２０で燃焼し、風呂熱交換器１６で熱を吸収して、浴槽水の追焚きを行う。
【０００５】
浴槽へのお湯はりは、給湯熱交換器３で熱を吸収したお湯が給湯センサ４，給湯水量制御弁５を通り、給湯電磁弁２１，縁切弁２２，往き通路１７および風呂の戻り通路１１を通って、風呂接続アダプタ１０から浴槽に入る。
【０００６】
【発明が解決しようとする課題】
しかしながら、前記従来の風呂給湯器では、浴槽内で溜まる垢やお湯の汚れのために、複数の人が続けて入浴したり、浴槽の水を続けて使用することは大変不潔であり、これをきれいにするためには浴槽のお湯を交換し浴槽を清掃しなければならないため、大変不経済であり手間のかかる作業であるという課題を有していた。
【０００７】
【課題を解決するための手段】
本発明は上記課題を解決するために、本発明の風呂給湯器は、循環ポンプの動作により浴槽水を戻り通路からバイパス三方弁を介して風呂熱交換器に供給し、上部往き通路より排水三方弁を介してろ過槽を経由させ、正逆三方弁を介して往き通路から浴槽に戻す循環経路を形成し、前記ろ過槽に設けた電極に通電することにより循環水の異物を凝集し、凝集した異物をろ過槽内のろ過材で除去する浄化手段と、給湯電磁弁及び縁切弁の動作により給湯熱交換器で所定温度に加熱された湯水を戻り通路からバイパス三方弁を介して風呂熱交換器に供給し、風呂熱交換器でさらに加熱して高温水とした後、上部往き通路より排水三方弁を介してろ過槽を経由させ、正逆三方弁を介して往き通路から浴槽に高温水を供給することで、ろ過槽と往き通路の高温殺菌を行う高温殺菌手段と、給湯電磁弁及び縁切弁の動作により給湯熱交換器で所定温度に加熱された湯水を戻り通路からバイパス三方弁を介して風呂熱交換器に供給し、風呂熱交換器でさらに加熱して高温水とした後、下部往き通路より二方弁を介して戻り通路から浴槽に高温水を供給することで、戻り通路の高温殺菌を行う高温殺菌手段を備え、高温殺菌手段によりろ過槽と往き通路または戻り通路の高温殺菌を行うとき、給湯熱交換器より供給する温水は、ろ過槽と往き通路または戻り通路を流れる高温水より低く給湯の安全性が確保できる温度としたものである。
【０００８】
上記発明によれば、浴槽内で溜まる垢や細菌をろ過槽内の電極に通電することにより凝集し、凝集した垢や細菌をろ過槽内のろ過材で除去し、給湯温度は高温水ではなく温水として給湯の安全を確保し、高温殺菌によりろ過槽内に凝集した細菌を死滅させ、さらに風呂の往き通路と戻り通路を高温殺菌することにより往き通路と戻り通路の細菌を死滅させ、ろ過槽内及び往き通路と戻り通路を常に清潔に保てるため、複数の人が続けて入浴したり、浴槽の水を続けて使用しても、浴槽水を清潔に保つことができる。
【０００９】
【発明の実施の形態】
本発明は、給水路より供給される水を加熱する給湯熱交換器と、給水路に設けられ給水温度を検知する水温センサおよび給水流量を検知する水量センサと、出湯路に設けられ温水温度を検知する給湯センサおよび出湯流量を制御する水量制御弁と、戻り通路を経由して循環ポンプにより供給された浴槽水を加熱する風呂熱交換器と、前記風呂熱交換器で加熱された湯水をろ過槽を経由して往き通路より浴槽に供給する上部往き通路と、前記風呂熱交換器で加熱された湯水をろ過槽をバイパスして往き通路より浴槽に供給する下部往き通路と、前記ろ過槽の入口側に配置し上部往き通路または排水口に流路を切り換える排水三方弁と、前記ろ過槽の出口側に配置し下部往き通路または往き通路に流路を切り換える正逆三方弁と、前記風呂熱交換器をバイパスして前記上部往き通路と下部往き通路の分岐点に接続して循環湯水を供給するバイパス通路と、前記戻り通路に配置し前記バイパス通路または風呂熱交換器に流路を切り換えるバイパス三方弁と、前記給湯熱交換器で加熱された湯水を前記戻り通路に供給する湯張り通路に配した給湯電磁弁及び縁切弁と、前記戻り通路に配置し湯張り通路の切り換えを行う切替え三方弁と、前記戻り通路と下部往き通路を連通し前記風呂熱交換器で加熱された湯水を戻り通路を経由して浴槽に供給する二方弁とを備えた風呂給湯器であって、前記循環ポンプの動作により浴槽水を前記戻り通路からバイパス三方弁を介して風呂熱交換器に供給し、上部往き通路より排水三方弁を介してろ過槽を経由させ、正逆三方弁を介して往き通路から浴槽に戻す循環経路を形成し、前記ろ過槽に設けた電極に通電することにより循環水の異物を凝集し、凝集した異物をろ過槽内のろ過材で除去する浄化手段と、前記給湯電磁弁及び縁切弁の動作により前記給湯熱交換器で所定温度に加熱された湯水を前記戻り通路からバイパス三方弁を介して風呂熱交換器に供給し、該風呂熱交換器でさらに加熱して高温水とした後、上部往き通路より排水三方弁を介してろ過槽を経由させ、正逆三方弁を介して往き通路から浴槽に高温水を供給することで、ろ過槽と往き通路の高温殺菌を行う高温殺菌手段と、前記給湯電磁弁及び縁切弁の動作により前記給湯熱交換器で所定温度に加熱された湯水を前記戻り通路からバイパス三方弁を介して風呂熱交換器に供給し、該風呂熱交換器でさらに加熱して高温水とした後、下部往き通路より二方弁を介して戻り通路から浴槽に高温水を供給することで、戻り通路の高温殺菌を行う高温殺菌手段を備え、前記高温殺菌手段によりろ過槽と往き通路または戻り通路の高温殺菌を行うとき、前記給湯熱交換器より供給する温水は、ろ過槽と往き通路または戻り通路を流れる高温水より低く給湯の安全性が確保できる温度としたものである。
【００１０】
そして、浴槽内で溜まる垢や細菌をろ過槽内の電極に通電することにより凝集し、凝集した垢や細菌をろ過槽内のろ過材で除去し、給湯温度は高温水ではなく温水として給湯の安全を確保し、高温殺菌によりろ過槽内に凝集した細菌を死滅させ、さらに風呂の往き通路と戻り通路を高温殺菌することにより往き通路と戻り通路の細菌を死滅させ、ろ過槽内及び往き通路と戻り通路を常に清潔に保てるため、複数の人が続けて入浴したり、浴槽の水を続けて使用しても、浴槽水を清潔に保つことができる。
【００１１】
また、請求項１に特定した戻り通路の高温殺菌手段の終了後に、循環ポンプを動作させ、戻り通路の高温水を前記戻り通路から切替え三方弁を介してバイパス三方弁より風呂熱交換器へ供給し、下部往き通路より二方弁を経由して強制循環回路を形成し、機器内部に形成される前記強制循環回路の高温殺菌を行う高温殺菌手段を設けたことにより、機器内部に形成される戻り通路を含んだ循環回路を高温殺菌して機器内部の戻り通路の細菌を死滅させ、戻り通路を常に清潔に保てるため、複数の人が続けて入浴したり、浴槽の水を続けて使用しても、浴槽水を清潔に保つことができる。
【００１２】
また、請求項２記載の機器内部に形成した強制循環回路の高温殺菌手段は、風呂センサにより検出される循環水温度が所定の高温になるまで風呂熱交換器で加熱する高温殺菌手段とすることにより、機器内部に形成される戻り通路を含んだ循環回路を高温殺菌して機器内部の戻り通路の細菌を死滅させ、戻り通路を常に清潔に保てるため、複数の人が続けて入浴したり、浴槽の水を続けて使用しても、浴槽水を清潔に保つことができる。
【００１３】
以下、本発明の実施例について図面を用いて説明する。
なお、図７で示した従来例の風呂給湯器と同じ部分については同一符号を付与する。
【００１４】
図１は本発明の実施例を示し、水は給水口より水量センサ１，水温センサ２を通り、給湯熱交換器３で熱を吸収して、給湯センサ４，給湯水量制御弁５を通り、湯出口より放出される。ガスはガス入口より給湯元電磁弁６，ガスの給湯比例弁７を通り、給湯バーナ８で燃焼される。
【００１５】
浴槽水は循環ポンプ９により、風呂接続アダプタ１０，戻り通路１１，水位センサ１２，切替え三方弁１３，風呂センサ１４，水流スイッチ１５，バイパス三方弁２３，風呂熱交換器１６，上部往き通路２４，排水三方弁２５，ろ過材２６とアルミニウム電極２７を備えたろ過槽２８，正逆三方弁２９，往き通路１７，風呂接続アダプタ１０と循環する。浴槽水の風呂センサ１４で検出する湯温が低下したときには、ガスがガスの風呂元電磁弁１８，風呂比例弁１９を通り、風呂バーナ２０で燃焼し、風呂熱交換器１６で熱を吸収して、浴槽水の追焚きを行う。
【００１６】
浴槽へのお湯はりは、給湯熱交換器３で熱を吸収したお湯が給湯センサ４，給湯水量制御弁５を通り、給湯電磁弁２１，縁切弁２２，往き通路１７および風呂の戻り通路１１を通って、風呂接続アダプタ１０から浴槽に入る。２９は下部往き通路３０に設けた正逆三方弁、３１は二方弁、３２はバイパス通路、３３は排水口を示す。
【００１７】
（実施例１）
図２は本発明の実施例１における浄化手段を示し、循環ポンプ９を「弱運転」とし、循環水がろ過槽２８を通過するときに、ろ過槽２８内のアルミニウム電極２７に通電することにより浴槽内で溜まる垢や細菌を水酸化アルミニウムで結合して凝集し、凝集した異物をろ過槽２８内のろ過材２６で除去することができ、運転スイッチがオフされない限り浴槽の浄化運転は継続されるので、浴槽水を常にきれいにでき、複数の人が続けて入浴したり、浴槽の水を続けて使用しても、清潔さを保つことができる。
【００１８】
図３は本発明の実施例１における往き通路の高温殺菌手段を示し、水温センサ１と水量センサ２と給湯センサ４と水量制御弁５の制御により、給湯熱交換器３で加熱した約５０℃、６リットル分の温水を給湯電磁弁２１および縁切弁２２からバイパス三方弁２３，風呂熱交換器１６へ流し、風呂熱交換器１６でさらに加熱して約７５℃の高温水とし、上部往き通路２４，排水三方弁２５，ろ過槽２８，正逆三方弁２９，往き通路１７へ流し、ろ過槽２８と往き管の高温殺菌を行うことにより、ろ過槽内２８と往き管のばい菌を高温で殺菌して死滅させることにより、ろ過槽２８と往き管を清潔に保つことができ、給湯温度は高温水ではなく約５０℃の温水として殺菌運転中の給湯の安全を確保することができる。
【００１９】
図４は本発明の実施例１における戻り通路の高温殺菌手段を示し、水温センサ１と水量センサ２と給湯センサ４と水量制御弁５の制御により、給湯熱交換器３で加熱した約５０℃、６リットル分の温水を給湯電磁弁２１および縁切弁２２からバイパス三方弁２３，風呂熱交換器１６へ流し、風呂熱交換器１６でさらに加熱して約７５℃の高温水とし、下部往き通路３０，二方弁３１，戻り通路１１へ流し、戻り管の高温殺菌を行うことにより、戻り管のばい菌を高温で殺菌して死滅させることにより、戻り管を清潔に保つことができ、給湯温度は高温水ではなく約５０℃の温水として殺菌運転中の給湯の安全を確保することができる。
【００２０】
（実施例２）
図５は本発明の実施例２における機器内部の戻り通路の高温殺菌手段を示し、戻り通路１１の高温水を戻り通路１１から切替え三方弁１３，循環ポンプ９，バイパス三方弁２３，風呂熱交換器１６へ流し，機器内部の戻り通路の高温殺菌を行うことにより、機器内部の戻り管のばい菌を高温で殺菌して死滅させることにより、機器内部の戻り通路を清潔に保つことができる。
【００２１】
（実施例３）
図６は本発明の実施例３における高温殺菌手段を示し、戻り通路１１の高温水を戻り通路１１から切替え三方弁１３，循環ポンプ９，バイパス三方弁２３，風呂熱交換器１６へ流し、風呂センサ１４により機器内部の戻り通路の湯が７５℃になるまで風呂熱交換器１６で加熱して、機器内部の戻り通路の高温殺菌を行うことにより、機器内部の戻り管のばい菌を高温で殺菌して死滅させることにより、機器内部の戻り通路を清潔に保つことができる。
【００２２】
【発明の効果】
以上のように、請求項１記載による発明によれば、浴槽内で溜まる垢や細菌をろ過槽内の電極に通電することにより凝集し、凝集した垢や細菌をろ過槽内のろ過材で除去し、給湯温度は高温水ではなく温水として給湯の安全を確保し、高温殺菌によりろ過槽内に凝集した細菌，往き管，戻り管の細菌を死滅させることにより、ろ過槽内を常に清潔に保てるため、複数の人が続けて入浴したり、浴槽の水を続けて使用しても、浴槽水を清潔に保つことができる。
【００２３】
また、請求項２記載による発明によれば、上記の請求項１による発明の効果に加えて、戻り通路を風呂熱交換器を使用して一層強く戻り通路の殺菌を高温で行うことができ、さらに請求項３に記載による発明によれば風呂センサを活用して戻り通路内の高温殺菌を確実に行う事ができる。
【図面の簡単な説明】
【図１】本発明の実施例における風呂給湯器の構成図
【図２】（ａ）本発明の実施例１における浄化手段を示す風呂給湯器の構成図
（ｂ）同フローチャート
【図３】（ａ）本発明の実施例１における往き通路の高温殺菌手段を示す風呂給湯器の構成図
（ｂ）同フローチャート
【図４】（ａ）本発明の風呂給湯器の実施例１における戻り通路の高温殺菌手段を示す風呂給湯器の構成図
（ｂ）同フローチャート
【図５】本発明の実施例２における戻り通路の高温殺菌手段を示す風呂給湯器の構成図
【図６】本発明の実施例３における戻り通路の高温殺菌手段を示す風呂給湯器の構成図
【図７】従来例の給湯器の構成図
【符号の説明】
１  水量センサ
２  水温センサ
３  給湯熱交換器
４  給湯センサ
５  水量制御弁
８  給湯バーナ
９  循環ポンプ
１１  戻り通路
１２  水位センサ
１３  切替え三方弁
１４  風呂センサ
１５  水流スイッチ
１６  風呂熱交換器
１７  往き通路
２０  風呂バーナ
２１  給湯電磁弁
２２  縁切弁
２３  バイパス三方弁
２４  上部往き通路
２５  排水三方弁
２６  ろ過材
２７  アルミニウム電極
２８  ろ過槽
２９  正逆三方弁
３０  下部往き通路
３１  二方弁
【図１】
0003903526.tif 000002
【図２】
0003903526.tif 000003
【図３】
0003903526.tif 000004
【図４】
0003903526.tif 000005
【図５】
0003903526.tif 000006
【図６】
0003903526.tif 000007
【図７】
0003903526.tif 000008